(57)【要約】      （修正有）【課題】モバイル通話装置及びモバイル通話装置に使用するデュアル周波数の受話器を提供する。【解決手段】筐体１０１と音声装置と分周回路１０５とデュアル周波数の受話器１００とを含むモバイル通話装置であって、筐体には受話口１０１１を開設しており、音声装置が音声信号を出力し、分周回路が音声装置に電気的に接続し、また音声信号を受信し、更に音声信号を低周波信号及び高周波信号に分周する。デュアル周波数の受話器は、筐体内に構設されると共に受話口に対応し、取付台とセラミック振動板３０と受話器エレメント２０とを含む。取付台は、第１固定具１１と第２固定具１３とを含み、セラミック振動板が第２固定具に固設され、分周回路に電気的に接続すると共に高周波信号を受信する。受話器エレメントは、第１固定具に固設され、セラミック振動板に対応し且つ向かう放音部２１を備え、分周回路に電気的に接続すると共に低周波信号を受信する。【選択図】図２
0003208762.tif 000002
【実用新案登録請求の範囲】
【請求項１】
受話口を開設した筐体と、
音声信号を出力する音声装置と、
前記音声装置に電気的に接続し、また前記音声信号を受信でき、更に前記音声信号を低周波信号及び高周波信号に分周する分周回路と、
前記筐体内に構設されると共に前記受話口に対応し、取付台とセラミック振動板と受話器エレメントとを包括するデュアル周波数の受話器と、を含むモバイル通話装置であって、
前記取付台は第１固定具と第２固定具とを含み、
前記セラミック振動板は前記取付台の第２固定具に固設され、前記分周回路に電気的に接続すると共に前記高周波信号を受信し、
前記受話器エレメントは前記取付台の前記第１固定具に固設され、前記セラミック振動板に対応し且つ向かう放音部を備え、前記分周回路に電気的に接続すると共に前記低周波信号を受信することを特徴とするモバイル通話装置。
【請求項２】
前記分周回路は、前記取付台上に構設されることを特徴とする請求項１に記載のモバイル通話装置。
【請求項３】
前記セラミック振動板の一表面に位置するオーディオ緩衝材を更に含むことを特徴とする請求項１に記載のモバイル通話装置。
【請求項４】
第１固定具と第２固定具とを含む取付台と、
前記取付台の前記第２固定具に固設されるセラミック振動板と、
前記取付台の前記第１固定具に固設され、前記セラミック振動板に対応し且つ向かう放音部を備える受話器エレメントと、
を含むことを特徴とするデュアル周波数の受話器。
【請求項５】
前記受話器エレメント及び前記セラミック振動板に各々電気的に接続する分周回路を更に含み、前記分周回路は、音声信号を低周波信号及び高周波信号に分周し、前記高周波信号を前記セラミック振動板に伝送し、また前記低周波信号を前記受話器エレメントに伝送することを特徴とする請求項４に記載のデュアル周波数の受話器。
【請求項６】
前記分周回路は、前記取付台上に構設されることを特徴とする請求項５に記載のデュアル周波数の受話器。
【請求項７】
前記取付台は、対向両側に位置する第１表面と第２表面とを備え、前記第１表面及び前記第２表面の間を連通させるため、前記取付台に貫通孔を開設し、前記貫通孔が前記受話器エレメントの前記放音部及び前記セラミック振動板に対応することを特徴とする請求項４に記載のデュアル周波数の受話器。
【請求項８】
前記第１固定具は、少なくとも２個の突起部を備え、前記突起部が前記取付台の前記第１表面から突出し、且つ前記受話器エレメントが前記突起部の間に係着されることを特徴とする請求項７に記載のデュアル周波数の受話器。
【請求項９】
前記第２固定具が、前記取付台の前記第２表面から凹んだ収容溝で、且つ前記セラミック振動板が前記収容溝内に収容されることを特徴とする請求項７に記載のデュアル周波数の受話器。
【請求項１０】
前記セラミック振動板の上表面が、前記第２表面と面一になることを特徴とする請求項９に記載のデュアル周波数の受話器。
【請求項１１】
前記第２固定具は、少なくとも１つの凹溝を更に含み、前記凹溝が前記第２表面の一部から前記第１表面の方向に向かって延伸し、前記貫通孔と連通することを特徴とする請求項９に記載のデュアル周波数の受話器。
【請求項１２】
前記セラミック振動板の一表面に位置するオーディオ緩衝材を更に含むことを特徴とする請求項４に記載のデュアル周波数の受話器。
【考案の詳細な説明】
【技術分野】
【０００１】
本考案は、モバイル通話装置に関し、特に、デュアル周波数の受話器を備えたモバイル通話装置に関する。
【背景技術】
【０００２】
従来のモバイル通話装置、例えば、携帯電話機、或いは通話機能を有するタブレットＰＣ等は、受話口に対応する箇所に受話器（Ｒｅｃｅｉｖｅｒ）を設け、それを利用者の耳に当てる。利用者は、受話器を通じて音波を受信するという受話効果を奏する。
【０００３】
時代の変化やモバイル通話装置の機能増加及び使用上の変化に伴い、受話器は、現在利用者に音楽やゲームの効果音等を直接聴く作用もたらすことができる。これにより、利用者の音声品質に対する要求が高くなってきた。現在の受話器で生成される周波数応答は、音波を出力する高周波部分において著しく減衰するため、高周波帯に対し容易にディストーション（Ｄｉｓｔｏｒｔｉｏｎ）現象が起きる。
【考案の概要】
【考案が解決しようとする課題】
【０００４】
そこで、従来技術の高周波音波のディストーション問題を解決するため、モバイル通話装置及びそれに使用するデュアル周波数の受話器を提供する。
【課題を解決するための手段】
【０００５】
モバイル通話装置は、筐体と音声装置と分周回路とデュアル周波数の受話器とを含む。筐体上には受話口を開設しており、音声を出力するために用いる。音声装置が音声信号を出力する。分周回路は、音声装置に電気的に接続し、また音声信号を受信でき、更に音声信号を低周波信号及び高周波信号に分周する。デュアル周波数の受話器は、筐体内に構設されると共に受話口に対応し、取付台とセラミック振動板と受話器エレメントとを含む。取付台は、第１固定具と第２固定具とを含む。セラミック振動板は、取付台の第２固定具に固設され、分周回路に電気的に接続すると共に高周波信号を受信する。受話器エレメントは、取付台の第１固定具に固設され、セラミック振動板に対応し且つ向かう放音部を備え、分周回路に電気的に接続すると共に低周波信号を受信する。
【０００６】
本実施例において、取付台を通じてセラミック振動板及び受話器エレメントを組み立て、また分周回路によって音声信号を分周し、高周波信号及び低周波信号をセラミック振動板及び受話器エレメントに各々伝送し、全体的な周波数応答に対し、高周波の応答を効果的に向上して音をより一層鮮明にすることができる。
【０００７】
一実施例において、分周回路は、取付台上に構設され、つまり、分周回路とデュアル周波数の受話器が同一モジュールとして組み立てることができる。
【０００８】
一実施例において、モバイル通話装置は、オーディオ緩衝材を更に含み、オーディオ緩衝材がセラミック振動板の一表面に位置し、応答の周波数を調整するために用いることができる。
【０００９】
本考案の別の目的は、モバイル通話装置の内部で使用されるデュアル周波数の受話器を提供することである。デュアル周波数の受話器は、取付台とセラミック振動板と受話器エレメントとを含む。取付台は、第１固定具と第２固定具とを含む。セラミック振動板は、取付台の第２固定具に固設される。受話器エレメントは、取付台の第１固定具に固設され、セラミック振動板に対応し且つ向かう放音部を備える。
【００１０】
一実施例において、デュアル周波数の受話器は、分周回路を更に含み、分周回路が該受話器エレメント及び該セラミック振動板に各々電気的に接続し、音声信号を低周波信号及び高周波信号に分周し、高周波信号をセラミック振動板に伝送し、また低周波信号を受話器エレメントに伝送する。好ましくは、分周回路が取付台に構設され、つまり、分周回路とデュアル周波数の受話器が、同一モジュールとして組み立てることができる。
【００１１】
一実施例において、取付台は、対向両側に位置する第１表面と第２表面とを備え、第１表面及び第２表面の間を連通させるため、取付台に貫通孔を開設し、貫通孔が受話器エレメントの放音部及びセラミック振動板に対応する。
【００１２】
一実施例において、第１固定具は少なくとも２個の突起部を備え、これら突起部が取付台の該第１表面から突出し、且つ該受話器エレメントが突起部の間に係着される。
【００１３】
一実施例において、第２固定具が取付台の第２表面から凹んだ収容溝で、且つセラミック振動板が収容溝内に収容される。好ましくは、セラミック振動板の上表面が第２表面と面一になる。
【００１４】
一実施例において、第２固定具は、少なくとも１つの凹溝を更に含み、凹溝が該第２表面の一部から第１表面の方向に向かって延伸し、貫通孔と連通する。
【００１５】
一実施例において、デュアル周波数の受話器は、オーディオ緩衝材を更に含み、オーディオ緩衝材がセラミック振動板の一表面に位置する。
【考案の効果】
【００１６】
上記実施例の開示内容によれば、本願が提供するモバイル通話装置及びモバイル通話装置に使用するデュアル周波数の受話器は、セラミック振動板と受話器エレメントでデュアル周波数の受話器を組み立て、分周方式を通じて異なるオーディオ信号をセラミック振動板及び受話器エレメントに出力してデュアル周波数音波を出力できることで、音の解像度をより一層鮮明にすることができる。
【図面の簡単な説明】
【００１７】
【図１】モバイル通話装置の分解図である。
【図２】モバイル通話装置の部分断面図である。
【図３】デュアル周波数の受話器の立体図である。
【図４】デュアル周波数の受話器の分解図（一）である。
【図５】デュアル周波数の受話器の分解図（二）である。
【図６】デュアル周波数の受話器のセラミック振動板の部分断面図である。
【図７】デュアル周波数の受話器の周波数応答図である。
【考案を実施するための形態】
【００１８】
図１及び図２を参照すると、各々モバイル通話装置の分解図及びモバイル通話装置の部分断面図で、うち、図２が図１の２−２’線の部分断面である。図１及び図２に示すように、モバイル通話装置１は、デュアル周波数の受話器１００と筐体１０１と本体１０２と音声装置１０３と分周回路１０５とを含む。筐体１０１は、対向に合わせて本体１０２の表面に組み立てられ、且つ筐体１０１に受話口１０１１を開設し、一般的に言うと、受話口１０１１が利用者の耳に対応する。音声装置１０３が本体１０２に位置し、例えば音声、音楽等といった音声信号を出力するために用いられる。デュアル周波数の受話器１００は、筐体１０１内に構設されると共に受話口１０１１に対応する。つまり、デュアル周波数の受話器１００で生じるデュアル周波数音波が、受話口１０１１から出力されることで、利用者の耳にまで伝えられる。
【００１９】
分周回路１０５は、音声装置１０３及びデュアル周波数の受話器１００に電気的に接続し、プリント回路基板、フレキシブル基板によって実施でき、モバイル通話装置１のマザーボードの局部回路としてもよい。これにより、分周回路１０５は、本体１０２に取り付けることができ、またデュアル周波数の受話器１００に取り付けることもできる。分周回路１０５は、音声信号を高周波信号及び低周波信号に分周するために用いられ、例えば音声信号内の２ＫＨｚ〜４０ＫＨｚの音声周波数を分離して高周波信号を形成し、音声信号の１Ｈｚ〜２ＫＨｚの音声周波数を分離して低周波信号を形成する。若しくは音声信号内の１０ＫＨｚ〜４０ＫＨｚの音声周波数を分離して高周波信号を形成し、音声信号の１Ｈｚ〜１０ＫＨｚの音声周波数を分離して低周波信号を形成する。以上は例示であって、これに限られることはなく、音声信号を高周波、低周波に分周できる方式が均しく実施でき、高周波信号と低周波信号の間で重なる音域があることもでき、また完全に重ならなくても可とする。
【００２０】
図３乃至図５を参照すると、各々デュアル周波数の受話器の立体図、デュアル周波数の受話器の分解図（一）、及びデュアル周波数の受話器の分解図（二）であり、同時に図２の部分断面図を参照する。図２乃至図５に示すように、デュアル周波数の受話器１００は、取付台１０と受話器エレメント２０とセラミック振動板３０とを含む。取付台１０は、第１固定具１１と第２固定具１３とを含む。受話器エレメント２０が取付台１０の第１固定具１１に固設される。受話器エレメント２０は、音波を出力するため、放音部２１を備え、且つ放音部２１がセラミック振動板３０に対応し、且つ向けられている。受話器エレメント２０が、分周回路１０５に電気的に接続すると共に低周波信号を受信し、また低周波信号によって低周波の音波を発生する。セラミック振動板３０は、取付台１０の第２固定具１３に固設される。セラミック振動板３０が、分周回路１０５に電気的に接続すると共に高周波信号を受信し、また高周波信号によって高周波の音波を発生する。好ましくは、セラミック振動板３０は、受話口１０１１に対応する。よって、デュアル周波数の受話器１００は、受話器エレメント２０及びセラミック振動板３０で発生した低周波音波及び高周波音波を通じてデュアル周波数出力の効果を奏することができる。
【００２１】
更に詳細にすると、図４に示すように、第１固定具１１は少なくとも２個の突起部１１３を備え、突起部１１３が取付台１０の第１表面１１１から突出し、且つ受話器エレメント２０が突起部１１３の間に係着される。例えば第１固定具１１は、４個の突起部１１３を備えている場合、受話器エレメント２０の四側辺が各々４個の突起部１１３に当接して固定される。図５に示すように、第２固定具１３は、取付台１０の第２表面１３１から凹んだ収容溝１３３で、且つセラミック振動板３０が収容溝１３３内に収容される。更に詳細にすると、セラミック振動板３０の周縁が第２表面１３１と当接することで、収容溝１３３内に固定される。好ましくは、セラミック振動板３０が収容溝１３３に収容された後、セラミック振動板３０の上表面が第２表面１３１と面一になる。つまり、セラミック振動板３０と取付台１０の第２表面１３１は、同一平面で受話口１０１１に当接する。
【００２２】
ここで、第１表面１１１及び第２表面１３１は、取付台１０の対向両側の表面に位置し、突起部１１３が第２表面１３１から離れる方向に向かって延伸する。第１表面１１１と第２表面１３１の間を連通するため、取付台１０には貫通孔１５を更に開設する。貫通孔１５は、取付台１０の中央に位置し、受話器エレメント２０の放音部２１とセラミック振動板３０に対応する。つまり、受話器エレメント２０の低周波の音波が貫通孔１５に向かって発してからセラミック振動板３０で発生する高周波の音波と共に出力する。
【００２３】
次に、図４及び図５に示すように、第２固定具１３は、少なくとも１個の凹溝１３５を更に含む。ここで第２固定具１３は、２個の凹溝１３５を含み、該凹溝１３５が両側に位置し、例えば縦方向の両側或いは横方向の両側である。凹溝１３５は、第２表面１３１の両側の間である一部から第１表面１１１の方向に向けて延伸し、且つ貫通孔１５と連通する。ここで、凹溝１３５は、受話器エレメント２０で生成される低周波信号の透音孔とすることができ、またセラミック振動板３０を取付台１０に置くため、治具を設置する透孔とすることもよい。好ましくは、脱落を防止するため、セラミック振動板３０の周縁及び受話器エレメント２０の放音部２１の外周縁を接着テープで取付台１０に固定することができる。
【００２４】
図６を参照すると、デュアル周波数の受話器のセラミック振動板の部分断面図である。セラミック振動板３０の表面には、オーディオ緩衝材３１を更に設けることができ、オーディオ緩衝材３１が座金タイプとすることができ、出力音波の音声周波数を調整するために用いられる。よって、デュアル周波数の受話器１００は、受話器エレメント２０、セラミック振動板３０の特性に基づくと共にオーディオ緩衝材３１を通じてフィルタリング或いは音声周波数応答を調整して、カスタマイズされたニーズを満たすことができる。
【００２５】
好ましくは、セラミック振動板３０は、複合材料とすることができる。一般的に言うと、中間層が比較的大きな弾性層とし、外部がセラミック材料を覆って高周波の音波を出力することで、好ましい共振効果を奏することができる。例えばセラミック振動板３０は、三層の構造とすることができ、その中間が金属板３５で、金属板３５をセラミック膜３３で被覆することで、金属板３５を通じて更に大きな振幅に達することができる。ここでは例示しただけであって、これに限られるものではない。
【００２６】
図７を参照すると、デュアル周波数の受話器の周波数応答図である。図７に示すように、周波数応答図の横軸は周波数で、単位がヘルツ（Ｈｚ）、縦軸がデシベル（ｄＢ）で、３本の曲線内の実線が受話器エレメント及びセラミック振動板を結合したデュアル周波数の受話器の周波数応答曲線で、破線が従来の受話器エレメントの周波数応答曲線で、細実線がセラミック受話器全体の周波数応答曲線である。図７からも分かる通り、従来の受話器エレメントは、高周波帯において著しい応答減衰があるため、出力時に高周波部分において著しいディストーション（Ｄｉｓｔｏｒｔｉｏｎ）があることにより、高周波帯における解像感効果が比較的劣ることになる。セラミック受話器の中低周波部分における周波数応答は、明らかに従来の受話器に匹敵できず、且つコストも高く、現代のニーズを満たすことが難しい。受話器エレメント及びセラミック振動板を組み合わされたデュアル周波数の受話器は、高中低周波の応答においてもいずれも非常に優れ、２者の利点を有効的に結合し、音声信号の解像効果も効果的に向上する。
【００２７】
好ましくは、モバイル通話装置は、センサーを通じて操作モードを切り替えることができ、例えばデュアル周波数の受話器の音波・音量を制御し、利用者に近づける時、振幅を制限し、小音量の受話器モードを使用し、利用者から遠い時、音波・音量を大きくして、デュアル周波数の受話器をスピーカとして使用し、再生モードとし、従って予め取り付けられた別のスピーカとマルチチャンネルのシアターモードも生成できる。以上は、操作上の実例とするが、説明のための例示したたけであって、これに限られるものではない。
【産業上の利用可能性】
【００２８】
上記実施例の開示内容によれば、本願が提供するモバイル通話装置及びモバイル通話装置に使用するデュアル周波数の受話器の主要特徴は、セラミック振動板と受話器エレメントでデュアル周波数の受話器を組み立て、分周方式を通じてセラミック振動板及び受話器エレメントからデュアル周波数音波を出力できることで、音の解像度をより一層鮮明にさせることができる。
【００２９】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであるのが勿論である。よって本考案の保護範囲は、本明細書に添付する実用新案登録請求の範囲で定義しているものを基準とする。
【符号の説明】
【００３０】
１  モバイル通話装置
１０  支架
１００  デュアル周波数の受話器
１０１  筐体
１０１１  受話口
１０２  本体
１０３  音声装置
１０５  分周回路
１１  第１固定具
１１１  第１表面
１１３  突起部
１３  第２固定具
１３１  第２表面
１３３  収容溝
１３５  凹溝
１５  貫通孔
２０  受話器エレメント
２１  放音部
３０  セラミック振動板
３１  オーディオ緩衝材
３３  セラミック膜
３５  金属板
【図１】
0003208762.tif 000003
【図２】
0003208762.tif 000004
【図３】
0003208762.tif 000005
【図４】
0003208762.tif 000006
【図５】
0003208762.tif 000007
【図６】
0003208762.tif 000008
【図７】
0003208762.tif 000009